(57)【特許請求の範囲】
【請求項１】
レンズを保持し前記レンズの光軸方向へ移動可能な可動体と、前記可動体を前記光軸方向へ駆動するための駆動用コイルおよび駆動用磁石を有する駆動機構とを備え、
前記可動体は、前記レンズが固定されるレンズホルダを内周側で保持する略筒状のスリーブを備え、
前記スリーブの内周側には、第１内周面と、前記第１内周面よりも内径の大きな第２内周面とが形成され、
前記スリーブの外周側には、前記駆動用コイルが巻回されるコイル巻回部が形成され、
前記第１内周面の少なくとも一部分は、前記レンズホルダを固定するためのメネジが形成されるメネジ部であり、
前記コイル巻回部の、前記メネジ部の径方向外側部分の少なくとも一部分に、前記コイル巻回部の他の部分よりも径方向の内側に向かって窪む凹部が前記スリーブの全周に亘って形成されていることを特徴とするレンズ駆動装置。
【請求項２】
前記第１内周面は、被写体側に形成され、前記第２内周面は、反被写体側に形成されていることを特徴する請求項１記載のレンズ駆動装置。
【請求項３】
前記レンズホルダには、前記第１内周面の径方向内側および前記第２内周面の径方向内側に配置される複数の前記レンズが固定され、
前記第２内周面の径方向内側に配置される前記レンズの径は、前記第１内周面の径方向内側に配置される前記レンズの径よりも大きいことを特徴とする請求項１または２記載のレンズ駆動装置。
【請求項４】
前記駆動用磁石の前記駆動用コイルとの対向面は、前記光軸方向において互いに異なる磁極が配置される２極に着磁され、
前記凹部は、前記光軸方向における前記コイル巻回部の外側端部分に形成されていることを特徴とする請求項１から３のいずれかに記載のレンズ駆動装置。
【請求項５】
前記駆動用コイルとして、前記光軸方向に所定の間隔をあけた状態で重なるように配置される第１駆動用コイルと第２駆動用コイルとを備え、
前記スリーブには、前記コイル巻回部として、前記第１駆動用コイルが巻回される第１コイル巻回部と、前記第２駆動用コイルが巻回される第２コイル巻回部とが形成され、
前記第１コイル巻回部の一部分に前記凹部が形成されていることを特徴とする請求項１から４のいずれかに記載のレンズ駆動装置。
【請求項６】
前記駆動用コイルとして、前記光軸方向に所定の間隔をあけた状態で重なるように配置される第１駆動用コイルと第２駆動用コイルとを備え、
前記スリーブには、前記コイル巻回部として、前記第１駆動用コイルが巻回される第１コイル巻回部と、前記第２駆動用コイルが巻回される第２コイル巻回部とが形成され、
前記第１コイル巻回部の全体が前記凹部となっていることを特徴とする請求項１から４のいずれかに記載のレンズ駆動装置。
【請求項７】
前記光軸方向に略直交する方向から見たときに、前記凹部は、略長方形状または略正方形状あるいは略台形状に形成されていることを特徴とする請求項１から６のいずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置として、レンズが組み込まれたレンズバレルを保持するスリーブと、スリーブを光軸方向へ駆動する駆動用コイルおよび駆動用磁石とを備えるレンズ駆動装置が知られている（たとえば、特許文献１参照）。特許文献１に記載のレンズ駆動装置では、スリーブは、円筒状に形成されており、スリーブの内周側にレンズバレルが固定されている。また、このレンズ駆動装置では、スリーブの内周面にレンズバレルを固定するためのメネジが形成されている。具体的には、スリーブの内周面の被写体側の一部分にメネジが形成されている。なお、特許文献１に記載のレンズ駆動装置では、コストを低減するため、スリーブは、たとえば、樹脂成型で形成されている。
【先行技術文献】
【特許文献】
【０００３】
【特許文献１】特開２００９−２６５６１７号公報
【発明の概要】
【発明が解決しようとする課題】
【０００４】
近年、携帯電話等に使用されるカメラの市場では、カメラの小型化の要求が一段と高まっており、そのため、カメラに搭載されるレンズ駆動装置の小型化の要求も一段と高まっている。また、近年、携帯電話等に使用されるカメラの市場では、高画素化、高解像度化の要求が高まっている。かかる要求に応えるため、レンズ駆動装置に搭載されるレンズの径が大型化する傾向にある。また、かかる要求に応えるためには、レンズの光軸の傾き精度等のレンズ駆動装置の各種の精度を確保する必要がある。
【０００５】
そこで、本発明の課題は、レンズが固定されるレンズホルダを保持するスリーブが樹脂成型で形成される場合であって、かつ、搭載されるレンズの径が大型化する場合であっても、小型化を図りつつ、レンズの光軸の傾き等の精度を確保することが可能なレンズ駆動装置を提供することにある。
【課題を解決するための手段】
【０００６】
上記の課題を解決するため、本発明のレンズ駆動装置は、レンズを保持しレンズの光軸方向へ移動可能な可動体と、可動体を光軸方向へ駆動するための駆動用コイルおよび駆動用磁石を有する駆動機構とを備え、可動体は、レンズが固定されるレンズホルダを内周側で保持する略筒状のスリーブを備え、スリーブの内周側には、第１内周面と、第１内周面よりも内径の大きな第２内周面とが形成され、スリーブの外周側には、駆動用コイルが巻回されるコイル巻回部が形成され、第１内周面の少なくとも一部分は、レンズホルダを固定するためのメネジが形成されるメネジ部であり、コイル巻回部の、メネジ部の径方向外側部分の少なくとも一部分に、コイル巻回部の他の部分よりも径方向の内側に向かって窪む凹部がスリーブの全周に亘って形成されていることを特徴とする。
【０００７】
本発明のレンズ駆動装置では、レンズホルダを保持するスリーブの内周側に、第１内周面よりも内径の大きな第２内周面が形成されている。そのため、第２内周面の径方向内側に比較的、径の大きなレンズを配置することが可能になる。また、本発明では、第１内周面の少なくとも一部分は、レンズホルダを固定するためのメネジが形成されるメネジ部であり、かつ、スリーブの外周側に形成されるコイル巻回部の、メネジ部の径方向外側部分の少なくとも一部分に、コイル巻回部の他の部分よりも径方向の内側に向かって窪む凹部が形成されている。したがって、径の大きなレンズを配置することが可能な第２内周面がスリーブの内周側に形成されていても、スリーブの第２内周面が形成された部分の外径を大きくすることなく、筒状に形成されるスリーブのメネジ部が形成された部分の肉厚と、筒状に形成されるスリーブの第２内周面が形成された部分の肉厚との差を小さくすることが可能になる。そのため、スリーブが樹脂成型で形成される場合であって、かつ、搭載されるレンズの径が大型化する場合であっても、スリーブを径方向で小型化しつつ、スリーブのひけ（成型後の収縮による変形）を抑制してスリーブを精度良く形成することが可能になる。その結果、本発明では、スリーブが樹脂成型で形成される場合であって、かつ、搭載されるレンズの径が大型化する場合であっても、レンズ駆動装置を小型化しつつ、レンズの光軸の傾き等の精度を確保することが可能になる。
【０００８】
また、本発明では、コイル巻回部の、メネジ部の径方向外側部分の少なくとも一部分に、コイル巻回部の他の部分よりも径方向の内側に向かって窪む凹部が形成されている。そのため、凹部を利用して、駆動用コイルの巻回数を増やすことが可能になる。すなわち、駆動用コイルを径方向で大型化させることなく、駆動機構の駆動力を高めることが可能になる。したがって、レンズの径が大型化して、可動部分の重量が大きくなる場合であっても、可動体を駆動するための駆動力を確保しつつ駆動機構を小型化することが可能になる。その結果、本発明では、搭載されるレンズの径が大型化する場合であっても、レンズ駆動装置を小型化することが可能になる。
【０００９】
また、本発明では、コイル巻回部の、メネジ部の径方向外側部分の少なくとも一部分に、コイル巻回部の他の部分よりも径方向の内側に向かって窪む凹部が形成されているため、凹部を利用して、駆動用コイルの巻回数を変えることなく、駆動用コイルを構成する導線の径を太くして、駆動用コイルの抵抗値を低減することが可能になる。したがって、本発明では、駆動機構の駆動力を低減させずに、省電力化を図ることが可能になる。
【００１０】
本発明において、第１内周面は、被写体側に形成され、第２内周面は、反被写体側に形成されていることが好ましい。レンズ駆動装置が搭載されるカメラの高画素化、高解像度化を図るためには、反被写体側に径の大きなレンズを配置する必要がある。したがって、このように構成すると、反被写体側に径の大きなレンズを配置することが可能になり、レンズ駆動装置が搭載されるカメラの高画素化、高解像度化を図ることが可能になる。
【００１１】
本発明において、レンズホルダには、たとえば、第１内周面の径方向内側および第２内周面の径方向内側に配置される複数のレンズが固定され、第２内周面の径方向内側に配置されるレンズの径は、第１内周面の径方向内側に配置されるレンズの径よりも大きくなっている。
【００１２】
本発明において、駆動用磁石の駆動用コイルとの対向面は、光軸方向において互いに異なる磁極が配置される２極に着磁され、凹部は、光軸方向におけるコイル巻回部の外側端部分に形成されていることが好ましい。このように構成すると、駆動用コイルの凹部に巻回される部分が駆動用磁石の２つの磁極に跨って配置されるのを防止することが可能になる。したがって、駆動機構の適切な駆動力を確保することが可能になる。
【００１３】
本発明において、レンズ駆動装置は、駆動用コイルとして、光軸方向に所定の間隔をあけた状態で重なるように配置される第１駆動用コイルと第２駆動用コイルとを備え、スリーブには、コイル巻回部として、第１駆動用コイルが巻回される第１コイル巻回部と、第２駆動用コイルが巻回される第２コイル巻回部とが形成され、たとえば、第１コイル巻回部の一部分に凹部が形成されている。また、本発明において、レンズ駆動装置は、駆動用コイルとして、光軸方向に所定の間隔をあけた状態で重なるように配置される第１駆動用コイルと第２駆動用コイルとを備え、スリーブには、コイル巻回部として、第１駆動用コイルが巻回される第１コイル巻回部と、第２駆動用コイルが巻回される第２コイル巻回部とが形成され、たとえば、第１コイル巻回部の全体が凹部となっている。
【００１４】
本発明において、光軸方向に略直交する方向から見たときに、凹部は、たとえば、略長方形状または略正方形状あるいは略台形状に形成されている。
【発明の効果】
【００１５】
以上のように、本発明のレンズ駆動装置では、レンズが固定されるレンズホルダを保持するスリーブが樹脂成型で形成される場合であって、かつ、搭載されるレンズの径が大型化する場合であっても、小型化を図りつつ、レンズの光軸の傾き等の精度を確保することが可能になる。
【図面の簡単な説明】
【００１６】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３に示すスリーブ、絡げピンおよび駆動用コイルの分解斜視図である。
【図５】図２のＦ部の拡大図であり、（Ａ）は可動体が基準位置にある状態を示す図、（Ｂ）は可動体が被写体側端まで移動したときの状態を示す図である。
【図６】本発明の他の実施の形態にかかる凹部の形状を説明するための拡大断面図である。
【図７】本発明の他の実施の形態にかかる凹部の形状を説明するための拡大断面図である。
【発明を実施するための形態】
【００１７】
以下、図面を参照しながら、本発明の実施の形態を説明する。
【００１８】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。なお、以下の説明では、図１等に示すように、互いに直交する３方向のそれぞれをＸ方向、Ｙ方向およびＺ方向とする。また、図１等のＸ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００１９】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向または前後方向と略平行になっている。
【００２０】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２１】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、可動体２と固定体３とを繋ぐ板バネ５、６を備えている。すなわち、可動体２は、板バネ５、６を介して固定体３に移動可能に保持されている。本形態では、１個の板バネ５が可動体２の上端側に配置され、２個の板バネ６が可動体２の下端側に配置されている。
【００２２】
可動体２は、複数のレンズ（たとえば、３枚または４枚のレンズ）が固定されたレンズホルダ７を保持するスリーブ８と、駆動機構４を構成する後述の駆動用コイル１４、１５の端部を絡げるための２本の絡げピン９とを備えている。固定体３は、レンズ駆動装置１の側面を構成するカバー部材１０と、レンズ駆動装置１の反被写体側の端面を構成するベース部材１１と、板バネ５の一部が固定されるスペーサ１２と、後述の駆動用コイル１４、１５に電流を供給するための２個の給電用端子１３とを備えている。なお、図２、図３では、レンズホルダ７の図示を省略している。
【００２３】
レンズホルダ７は、略円筒状に形成されており、その内周側に、光軸方向から見たときの形状が略円形状となる複数のレンズが固定されている。本形態では、レンズ駆動装置１が搭載されるカメラにおいて、高画素化、高解像度化を図るため、レンズホルダ７の反被写体側（下側）に径の大きな大径レンズが配置されている。また、レンズホルダ７の被写体側（上側）には、大径レンズより径の小さな小径レンズが配置されている。そのため、レンズホルダ７の上側の外径は、下側の外径よりも小さくなっている。また、レンズホルダ７の上側の外周面には、オネジが形成されている。
【００２４】
スリーブ８は、樹脂材料で形成されている。また、スリーブ８は、略筒状に形成されている。具体的には、スリーブ８は、上下方向から見たときの内周面の形状が略円形状となり、上下方向から見たときの外周面の形状が略八角形状となる略筒状に形成されている。このスリーブ８は、その内周側でレンズホルダ７を保持している。すなわち、スリーブ８の内周面にレンズホルダ７の外周面が固定されている。スリーブ８の詳細な構成については後述する。
【００２５】
絡げピン９は、導電性を有する金属材料で形成されている。この絡げピン９は、スリーブ８に形成された固定孔に固定されている。また、絡げピン９の下端側がスリーブ８の下端よりも下側に突出するように、絡げピン９はスリーブ８に固定されている。スリーブ８の下端から突出した絡げピン９の下端側には、後述の駆動用コイル１４、１５の端部が巻回されている。
【００２６】
カバー部材１０は、磁性材料で形成されている。また、カバー部材１０は、底部１０ａと筒部１０ｂとを有する底付きの略四角筒状に形成されている。上側に配置される底部１０ａの中心には、貫通孔１０ｃが形成されている。
【００２７】
ベース部材１１は、絶縁性を有する樹脂材料で形成されている。また、ベース部材１１は、光軸方向から見たときの形状が略正方形となるブロック状に形成されている。このベース部材１１は、カバー部材１０の下端側に取り付けられている。ベース部材１１の中心には、貫通孔１１ａが形成されている。また、ベース部材１１の上面には、光軸方向における可動体２の基準位置を決めるための基準面１１ｂが光軸方向と略直交するように形成されている（図２参照）。具体的には、前後方向および左右方向におけるベース部材１１の上面の略中心位置に、かつ、略９０°ピッチで、４個の基準面１１ｂが形成されている。
【００２８】
スペーサ１２は、たとえば、樹脂材料で形成されるとともに、略正方形の扁平なブロック状に形成されている。このスペーサ１２は、カバー部材１０の底部１０ａの下面に固定されている。
【００２９】
板バネ５は、スリーブ８の上端側に固定される円環状の可動体固定部と、スペーサ１２に固定される４個の固定体固定部と、可動体固定部と固定体固定部とを繋ぐ４本の腕部とを備えている。この板バネ５は、その厚さ方向と上下方向とが略一致するように、スリーブ８およびスペーサ１２に固定されている。また、板バネ５は、後述の駆動用コイル１４、１５に電流が供給されていないときに、スリーブ８に形成される後述の当接面８ｈとベース部材１１の基準面１１ｂとが当接して可動体２が所定の基準位置に配置されるように、撓んだ状態で、スリーブ８およびスペーサ１２に固定されている。
【００３０】
板バネ６は、スリーブ８の下端側に固定される可動体固定部と、ベース部材１１に固定される２個の固定体固定部と、可動体固定部と固定体固定部とを繋ぐ２本の腕部とを備えている。板バネ６は、その厚さ方向と上下方向とが略一致するように、スリーブ８およびベース部材１１に固定されている。また、板バネ６は、可動体２が基準位置にあるときに板バネ６による付勢力が可動体２に生じないように、スリーブ８およびベース部材１１に固定されている。２個の板バネ６のそれぞれには、２本の絡げピン９のそれぞれが半田付け等されて固定されている。
【００３１】
給電用端子１３は、平板状の金属材料が折り曲げられて形成されている。この給電用端子１３は、ベース部材１１に固定されている。また、給電用端子１３には、板バネ６の一部が半田付け等されて固定されている。
【００３２】
駆動機構４は、スリーブ８の外周側に巻回される２個の駆動用コイル１４、１５と、レンズ駆動装置１の４つの側面のそれぞれに沿って配置される駆動用磁石１７とを備えている。駆動機構４の詳細な構成については、後述する。
【００３３】
（スリーブおよび駆動機構の構成）
図４は、図３に示すスリーブ８、絡げピン９および駆動用コイル１４、１５の分解斜視図である。図５は、図２のＦ部の拡大図であり、（Ａ）は可動体２が基準位置にある状態を示す図、（Ｂ）は可動体２が被写体側端まで移動したときの状態を示す図である。
【００３４】
上述のように、スリーブ８は、樹脂材料で形成されている。本形態のスリーブ８は、樹脂成型で形成されている。また、上述のように、スリーブ８は、上下方向から見たときの内周面の形状が略円形状となり、上下方向から見たときの外周面の形状が略八角形状となる略筒状に形成されている。
【００３５】
スリーブ８の内周側には、内径の小さな第１内周面８ａと、第１内周面８ａよりも内径の大きな第２内周面８ｂとが形成されている。第１内周面８ａは、上側（被写体側）に形成され、第２内周面８ｂは、下側（反被写体側）に形成されている。上述のように、レンズホルダ７の上側に径の小さな小径レンズが固定され、下側に小径レンズよりも径の大きな大径レンズが固定されており、第２内周面８ｂの径方向内側に配置されるレンズの径は、第１内周面８ａの径方向内側に配置されるレンズの径よりも大きくなっている。
【００３６】
第１内周面８ａの一部分には、レンズホルダ７の外周面に形成されるオネジと螺合するメネジが形成されている。すなわち、第１内周面８ａの一部分は、レンズホルダ７を固定するためのメネジが形成されるメネジ部８ｃとなっている。メネジ部８ｃでは、図２に示すように、メネジの谷部の径が第１内周面８ａのメネジ部８ｃ以外の部分の径と略等しくなっており、メネジの山部は、第１内周面８ａのメネジ部８ｃ以外の部分よりも径方向内側に突出している。
【００３７】
スリーブ８の外周側には、駆動用コイル１４、１５が巻回されるコイル巻回部８ｄ、８ｅが形成されている。コイル巻回部８ｄ、８ｅは、スリーブ８の外周面から窪むように形成されている。また、コイル巻回部８ｄ、８ｅは、上下方向に所定の間隔をあけた状態で形成されている。本形態では、コイル巻回部８ｄが上側に形成され、コイル巻回部８ｅが下側に形成されている。具体的には、コイル巻回部８ｅは、第２内周面８ｂの径方向外側部分に形成されている。また、コイル巻回部８ｄの下端側の一部分を除く大半部分は、第１内周面８ａの径方向外側部分に形成され、コイル巻回部８ｄの下端側の一部分は、第２内周面８ｂの径方向外側部分に形成されている。
【００３８】
コイル巻回部８ｄ、８ｅの間には、コイル巻回部８ｄ、８ｅの底面からスリーブ８の径方向外側に向かって広がる鍔部８ｆが形成されている。すなわち、スリーブ８には、駆動用コイル１４、１５の間に配置される鍔部８ｆが形成されている。
【００３９】
コイル巻回部８ｄには、コイル巻回部８ｄの他の部分よりも径方向の内側に向かって窪む凹部８ｇが形成されている。すなわち、コイル巻回部８ｄの一部分に、凹部８ｇが形成されている。凹部８ｇは、コイル巻回部８ｄの上側部分に形成されている。具体的には、コイル巻回部８ｄの上側の略半分の領域に凹部８ｇが形成されている。また、凹部８ｇは、図２に示すように、コイル巻回部８ｄの、メネジ部８ｃの径方向外側部分の一部分に形成されている。本形態では、上下方向に略直交する方向から見たときの形状が略長方形状となるように凹部８ｇが形成されている。また、上下方向に略直交する方向から見たときの形状が扁平な略長方形状となるように、凹部８ｇを除くコイル巻回部８ｄの他の部分が形成されている。すなわち、コイル巻回部８ｄは、上下方向に略直交する方向から見たときの形状が略階段状となるように形成されている。
【００４０】
コイル巻回部８ｅは、上下方向に略直交する方向から見たときの形状が扁平な略長方形状となるように形成されている。本形態では、上下方向におけるコイル巻回部８ｅの幅は、上下方向におけるコイル巻回部８ｄの幅と略同じになっている。また、コイル巻回部８ｅの径方向内側への窪み量は、凹部８ｇを除くコイル巻回部８ｄの他の部分の径方向内側への窪み量と略等しくなっている。
【００４１】
スリーブ８の下端には、ベース部材１１の基準面１１ｂに当接する当接面８ｈ（図２、図５参照）が光軸方向と略直交するように形成されている。具体的には、前後方向および左右方向におけるスリーブ８の下端の略中心位置に、かつ、略９０°ピッチで、４個の当接面８ｈが形成されている。
【００４２】
スリーブ８の上端側には、駆動用コイル１４、１５を構成する導線を下側に向かって折り返すためのフック部８ｊが形成されている（図２、図４参照）。フック部８ｊは、たとえば、スリーブ８の左前端部の１箇所に形成されている。また、スリーブ８の上端側には、円環状に形成された磁性部材が固定されている。
【００４３】
上述のように、駆動機構４は、駆動用コイル１４、１５と、駆動用磁石１７とを備えている。
【００４４】
２個の駆動用コイル１４、１５は、上下方向に所定の間隔をあけた状態で、スリーブ８のコイル巻回部８ｄ、８ｅに巻回されている。すなわち、駆動用コイル１４、１５は、上下方向に所定の間隔をあけた状態で重なるように、スリーブ８に巻回されている。本形態では、駆動用コイル１４がコイル巻回部８ｄに巻回され、駆動用コイル１５がコイル巻回部８ｅに巻回されている。また、駆動用コイル１４、１５は、駆動用コイル１４の外周面と駆動用コイル１５の外周面とがレンズ駆動装置１の径方向において略一致するように巻回されている。本形態の駆動用コイル１４は、第１駆動用コイルであり、駆動用コイル１５は、第２駆動用コイルである。また、本形態のコイル巻回部８ｄは、第１駆動用コイルである駆動用コイル１４が巻回される第１コイル巻回部であり、コイル巻回部８ｅは、第２駆動用コイルである駆動用コイル１５が巻回される第２コイル巻回部である。
【００４５】
駆動用コイル１４は、上下方向から見たときの形状が略八角形状となるように巻回されている。また、駆動用コイル１４は、凹部８ｇが形成されるコイル巻回部８ｄに巻回されているため、図２に示すように、光軸Ｌを含む平面で切ったときの駆動用コイル１４の断面形状は、幅の違う２つの長方形をくっつけた略階段状となっている。すなわち、駆動用コイル１４は、コイル巻回部８ｄの、凹部８ｇが形成された部分に巻回される径方向の厚みが厚い第１コイル部１４ａと、コイル巻回部８ｄの、凹部８ｇが形成された部分以外の部分に巻回される径方向の厚みが薄い第２コイル部１４ｂとから構成されている。
【００４６】
駆動用コイル１５は、駆動用コイル１４と同様に、上下方向から見たときの形状が略八角形状となるように巻回されている。また、駆動用コイル１５は、コイル巻回部８ｅに巻回されているため、図２に示すように、光軸Ｌを含む平面で切ったときの駆動用コイル１５の断面形状は、略長方形となっている。
【００４７】
駆動用コイル１４、１５は、１本の導線が順次、巻回されることで形成されており、駆動用コイル１４、１５の巻き始め側の端部は、２本の絡げピン９の一方に巻回され、駆動用コイル１４、１５の巻き終わり側の端部は、２本の絡げピン９の他方に巻回されている。また、駆動用コイル１４、１５を構成する導線は、たとえば、以下のようにして巻回される。
【００４８】
すなわち、まず、導線の始端部を２本の絡げピン９の一方に巻回する。その後、コイル巻回部８ｅ、コイル巻回部８ｄ、コイル巻回部８ｅの順番で導線を順次、巻回する。また、その後、導線の終端部を２本の絡げピン９の他方に巻回する。または、導線の始端部を２本の絡げピン９の一方に巻回した後、コイル巻回部８ｄ、コイル巻回部８ｅ、コイル巻回部８ｄの順番で導線を順次、巻回し、その後、導線の終端部を２本の絡げピン９の他方に巻回する。あるいは、導線の始端部を２本の絡げピン９の一方に巻回した後、コイル巻回部８ｄ、コイル巻回部８ｅ、コイル巻回部８ｄ、コイル巻回部８ｅの順番で導線を順次、巻回し、その後、導線の終端部を２本の絡げピン９の他方に巻回する。または、導線の始端部を２本の絡げピン９の一方に巻回した後、コイル巻回部８ｅ、コイル巻回部８ｄ、コイル巻回部８ｅ、コイル巻回部８ｄの順番で導線を順次、巻回し、その後、導線の終端部を２本の絡げピン９の他方に巻回する。なお、導線を巻回する際には、必要に応じてフック部８ｊで導線を下側へ折り返す。また、導線の始端部を２本の絡げピン９の一方に巻回した後、コイル巻回部８ｅ、コイル巻回部８ｄの順番で導線を順次、巻回し、その後、導線の終端部を２本の絡げピン９の他方に巻回しても良いし、導線の始端部を２本の絡げピン９の一方に巻回した後、コイル巻回部８ｄ、コイル巻回部８ｅの順番で導線を順次、巻回し、その後、導線の終端部を２本の絡げピン９の他方に巻回しても良い
【００４９】
また、駆動用コイル１４、１５は、駆動用コイル１４に供給される電流の方向と駆動用コイル１５に供給される電流の方向とが異なる方向となるように巻回されている。すなわち、たとえば、上側から見たときの駆動用コイル１４に流れる電流の方向が時計回りの方向であれば、上側から見たときの駆動用コイル１５に流れる電流の方向が反時計回りの方向となるように、駆動用コイル１４、１５が巻回されている。
【００５０】
駆動用磁石１７は、略矩形の板状に形成されている。具体的には、駆動用磁石１７は、光軸方向から見たときの形状が扁平な長方形状となる略矩形の板状に形成されている。この駆動用磁石１７は、駆動用コイル１４、１５の外側面に対向するようにカバー部材１０の筒部１０ｂの内側面に固定されている。本形態のカバー部材１０は、磁気回路を形成するためのヨークの機能を果たしている。なお、図４に示すように、左右方向と略平行に配置される駆動用磁石１７の左右方向の幅は、前後方向と略平行に配置される駆動用磁石１７の前後方向の幅よりも広くなっている。
【００５１】
駆動用磁石１７は、上下方向で重なるように配置される略矩形の板状の２個の駆動用磁石片１７ａ、１７ｂによって構成されている。本形態では、駆動用磁石片１７ａが上側に配置され、駆動用磁石片１７ｂが下側に配置されている。駆動用磁石片１７ａ、１７ｂは、駆動用磁石片１７ａの下端面と駆動用磁石片１７ｂの上端面とが当接した状態で互いに固定されている。
【００５２】
駆動用磁石片１７ａ、１７ｂは、駆動用コイル１４、１５との対向面が互いに異なる磁極となるように着磁されている。すなわち、駆動用磁石１７の駆動用コイル１４、１５との対向面は、２極に着磁されている。たとえば、駆動用磁石片１７ａの駆動用コイル１４、１５との対向面がＮ極に着磁され、駆動用磁石片１７ｂの駆動用コイル１４、１５との対向面がＳ極に着磁されている。
【００５３】
なお、スリーブ８の上端側には、上述のように、略円環状に形成された磁性部材が固定されている。具体的には、この磁性部材は、駆動用磁石１７の上端面よりも上側に配置されるように、スリーブ８に固定されている。そのため、磁性部材と駆動用磁石１７との間には、可動体２を下方向へ付勢する付勢力が作用している。すなわち、磁性部材と駆動用磁石１７との間に生じる磁気的な吸引力によって、スリーブ８の当接面８ｈとベース部材１１の基準面１１ｂとを当接させる方向に可動体２が付勢されている。
【００５４】
本形態では、駆動用コイル１４、１５に電流が供給されていないときには、スリーブ８の上端側に固定される磁性部材と駆動用磁石１７との間に生じる磁気的な吸引力、および、板バネ５の付勢力によって、スリーブ８の当接面８ｈとベース部材１１の基準面１１ｂとが当接している。当接面８ｈと基準面１１ｂとが当接しているときには、固定体３に対して可動体２が最も下側（反被写体側）へ移動している基準位置に可動体２がある。
【００５５】
基準位置に可動体２があるときには、図５（Ａ）に示すように、駆動用コイル１４は、駆動用磁石片１７ａ、１７ｂの両方に対向している。具体的には、駆動用コイル１４の第１コイル部１４ａを含む大半部分が駆動用磁石片１７ａに対向し、駆動用コイル１４の下端側の一部分が駆動用磁石片１７ｂに対向している。すなわち、駆動用コイル１４の下端側の一部分を除く大半部分が駆動用磁石片１７ａに対向し、駆動用コイル１４の下端側の一部分が駆動用磁石片１７ｂに対向している。また、駆動用コイル１５は、駆動用磁石片１７ｂに対向している。
【００５６】
一方、駆動用コイル１４、１５に電流が供給されると、駆動用コイル１４、１５に供給される電流の大きさに応じて、可動体２が基準位置から上側（被写体側）へ移動する。固定体３に対して可動体２が最も上側へ移動している最大移動位置に可動体２があるときには、図５（Ｂ）に示すように、駆動用コイル１４は、駆動用磁石片１７ａに対向し、駆動用コイル１５は、駆動用磁石片１７ｂに対向している。
【００５７】
（本形態の主な効果）
以上説明したように、本形態では、第１内周面８ａよりも内径の大きな第２内周面８ｂが反被写体側に形成されている。そのため、本形態では、反被写体側に径の大きな大径レンズを配置して、レンズ駆動装置１が搭載されるカメラの高画素化、高解像度化を図ることができる。
【００５８】
また、本形態では、径の大きなレンズを配置するために、スリーブ８の内周側に、第１内周面８ａよりも内径の大きな第２内周面８ｂが形成されているが、第１内周面８ａの一部分はメネジ部８ｃとなっており、かつ、スリーブ８の外周側に形成されるコイル巻回部８ｄの、メネジ部８ｃの径方向外側部分の一部分に凹部８ｇが形成されている。そのため、第２内周面８ｂが形成されるスリーブ８の下側部分の外径を大きくしなくても、メネジ部８ｃが形成されるスリーブ８の上側部分の肉厚と、第２内周面８ｂが形成されるスリーブ８の下側部分の肉厚との差を小さくすることが可能になる。
【００５９】
したがって、スリーブ８が樹脂成型で形成される場合であって、かつ、レンズ駆動装置１に搭載されるレンズの径が大型化する場合であっても、スリーブ８を径方向で小型化しつつ、スリーブ８のひけを抑制してスリーブ８を精度良く形成することが可能になる。その結果、本形態では、スリーブ８が樹脂成型で形成される場合であって、かつ、搭載されるレンズの径が大型化する場合であっても、レンズ駆動装置１を小型化しつつ、レンズの光軸Ｌの傾き等の精度を確保することが可能になる。
【００６０】
本形態では、コイル巻回部８ｄの、メネジ部８ｃの径方向外側部分の一部分に凹部８ｇが形成されている。そのため、凹部８ｇを利用して、駆動用コイル１４の巻回数を増やすことができる。すなわち、駆動用コイル１４を径方向で大型化させることなく、駆動機構４の駆動力を高めることができる。したがって、レンズの径が大型化して、レンズ駆動装置１の可動体２の重量が大きくなる場合であっても、可動体２を駆動するための駆動力を確保しつつ駆動機構４を小型化することが可能になる。その結果、本形態では、搭載されるレンズの径が大型化する場合であっても、レンズ駆動装置１を小型化することが可能になる。
【００６１】
また、本形態では、コイル巻回部８ｄの、メネジ部８ｃの径方向外側部分の一部分に凹部８ｇが形成されているため、凹部８ｇを利用して、駆動用コイル１４の巻回数を変えることなく、駆動用コイル１４、１５を構成する導線の径を太くして、駆動用コイル１４、１５の抵抗値を低減することが可能になる。したがって、本形態では、駆動機構４の駆動力を低減させずに、省電力化を図ることが可能になる。また、本形態では、コイル巻回部８ｄの、メネジ部８ｃの径方向外側部分の一部分に凹部８ｇが形成されているため、スリーブ８の重量を低減することが可能になる。
【００６２】
本形態では、凹部８ｇは、コイル巻回部８ｄの上側の略半分の領域に形成されており、駆動用コイル１４の第１コイル部１４ａが、駆動用磁石片１７に形成される２つの磁極に跨って配置されることがない。したがって、大きな駆動力を発生させやすい第１コイル部１４ａを駆動用磁石片１７ａにのみ対向させて、駆動機構４の適切な駆動力を確保することが可能になる。
【００６３】
（他の実施の形態）
上述した形態は、本発明の好適な形態の一例ではあるが、これに限定されるものではなく本発明の要旨を変更しない範囲において種々変形実施が可能である。
【００６４】
上述した形態では、上下方向に略直交する方向から見たときの形状が略長方形状となるように凹部８ｇが形成されている。この他にもたとえば、上下方向に略直交する方向から見たときの形状が略正方形状となるように凹部８ｇが形成されても良い。また、上下方向に略直交する方向から見たときの形状が略台形状となるように凹部８ｇが形成されも良い。たとえば、図６に示すように、上下方向に略直交する方向から見たときの形状が直角台形状となるように凹部８ｇが形成されても良い。すなわち、凹部８ｇの下端面は、下側に向かうにしたがって径方向外側へ広がるように傾斜しても良い。この場合には、凹部８ｇを利用して、駆動用コイル１４の巻回数をさらに増やすことが可能になる。
【００６５】
上述した形態では、コイル巻回部８ｄの一部分に、凹部８ｇが形成されている。この他にもたとえば、第１内周面８ａにより広い範囲でメネジが形成され、図７に示すように、上述した形態よりも下側までメネジ部８ｃが配置されている場合には、コイル巻回部８ｄの全体がコイル巻回部８ｅよりも径方向内側に窪む凹部となっていても良い。
【００６６】
上述した形態では、第１内周面８ａの一部分は、レンズホルダ７を固定するためのメネジが形成されるメネジ部８ｃとなっている。この他にもたとえば、第１内周面８ａの全部がメネジ部８ｃとなっていても良い。また、上述した形態では、凹部８ｇは、コイル巻回部８ｄの、メネジ部８ｃの径方向外側部分の一部分に形成されているが、凹部８ｇは、コイル巻回部８ｄの、メネジ部８ｃの径方向外側部分の全部に形成されても良い。
【００６７】
上述した形態では、駆動用磁石１７は、駆動用磁石片１７ａの下端面と駆動用磁石片１７ｂの上端面とが当接した状態で互いに固定されることで形成されている。この他にもたとえば、駆動用磁石１７は、光軸方向に所定の間隔をあけた状態で配置される駆動用磁石片１７ａと駆動用磁石片１７ｂとによって構成されても良い。また、上述した形態では、駆動用磁石１７は、駆動用磁石片１７ａと駆動用磁石片１７ｂとの２個の駆動用磁石片によって形成されているが、駆動用磁石１７は、１個の駆動用磁石片によって形成されても良い。この場合には、この１個の駆動用磁石片は、駆動用コイル１４、１５との対向面のそれぞれが異なる２つの磁極となるように着磁される。
【００６８】
上述した形態では、駆動用磁石１７の駆動用コイル１４、１５との対向面は、２極に着磁されている。この他にもたとえば、駆動用磁石１７の駆動用コイル１４、１５の対向面が１極に着磁されても良い。この場合には、たとえば、スリーブ８に鍔部８ｆが形成されず、また、供給される電流の方向が同じ方向となるように駆動用コイル１４、１５が一体的に巻回される。
【００６９】
上述した形態では、上下方向から見たときのスリーブ８の外周面の形状は、略八角形状となっている。この他にもたとえば、上下方向から見たときのスリーブ８の外周面の形状は、略八角形状以外の略多角形状であっても良いし、略円形状や略楕円形状であっても良い。また、上述した形態では、上下方向から見たときのスリーブ８の内周面の形状は、略円形状となっているが、上下方向から見たときのスリーブ８の内周面の形状は、略多角形状であっても良いし、略楕円形状であっても良い。
【００７０】
上述した形態では、レンズ駆動装置１は、光軸方向から見たときの形状が略正方形状となるように形成されているが、レンズ駆動装置１は、光軸方向から見たときの形状が略長方形状となるように形成されても良い。また、レンズ駆動装置１は、光軸方向から見たときの形状が略四角形状以外の多角形状となるように形成されても良いし、光軸方向から見たときの形状が略円形状や略楕円形状となるように形成されても良い。
【符号の説明】
【００７１】
１  レンズ駆動装置
２  可動体
４  駆動機構
７  レンズホルダ
８  スリーブ
８ａ  第１内周面
８ｂ  第２内周面
８ｃ  メネジ部
８ｄ  コイル巻回部（第１コイル巻回部）
８ｅ  コイル巻回部（第２コイル巻回部）
８ｇ  凹部
１４  駆動用コイル（第１駆動用コイル）
１５  駆動用コイル（第２駆動用コイル）
１７  駆動用磁石
Ｌ  光軸
Ｚ  光軸方向
Ｚ１  被写体側
Ｚ２  反被写体側
【図１】
0005600445.tif 000002
【図２】
0005600445.tif 000003
【図３】
0005600445.tif 000004
【図４】
0005600445.tif 000005
【図５】
0005600445.tif 000006
【図６】
0005600445.tif 000007
【図７】
0005600445.tif 000008